(57)【特許請求の範囲】
【請求項１】
上端が開口し底面にインクパッドを有する印判収納部を備えたスタンド主体の下部に底部材を分離可能に組み付けてあり、前記スタンド主体と分離した前記底部材は前記スタンド主体の上部に着脱自在に装着可能で、前記底部材をスタンド主体上部に装着した際には前記印判収納部が気密状態となり、前記印判収納部に収納していた印判は前記底部材に収納可能となることを特徴とする印判スタンド。
【請求項２】
前記底部材は、前記スタンド主体の上部に装着した際にスタンド主体の上部外周を覆い隠す外周壁と、前記外周壁の上端より内側に延びる連結部を介して吊り下げ状に設けられ、前記スタンド主体の上部に装着した際に前記印判収納部に収まる有底筒状の凹部とを備えており、前記スタンド主体の下面には前記底部材を組み付けた際に前記外周壁が収まる窪み部が設けてあることを特徴とする請求項１に記載の印判スタンド。
【発明の詳細な説明】
【０００１】
【発明の属する技術分野】
本発明は、底面にインクパッドを有する印判収納部に印判を立たせた状態で収納することができる印判スタンドに関するものである。
【０００２】
【従来の技術】
従来より、上端が開口した印判収納部の底面にインクが含浸されたインクパッドを備えてなる印判スタンドは広く知られており、前記印判収納部に印判を印面を下向きにして置くことにより印面にインクを付着させた状態にしておくことができるので、印判を使用する度にスタンプ台を用意する必要がなく、印判を常に捺印可能な状態で収納しておくことができる。そして、前記インクパッドのサイズは印面全体にインクを付着させなければならないため、印面サイズよりも若干大きいものとなっているのが一般的である。
【０００３】
【発明が解決しようとする課題】
ところが、前記印判スタンドの印判収納部の上端は開口しておりインクパッドは常に外気と接触した状態となっているので、前記印判スタンドに印判を収納してない状態ではもちろんのこと、図５に示すように印判を収納した状態においても印判と印判収納部の内壁との間には僅かな隙間ができ、インクパッドは完全にシールされることなく外気と接触した状態となっている。従って、インクパッドに含浸されたインクは常に少しずつ揮発しているのでインクパッドへのインク補充を頻繁に行わなければならず、特に、インクパッドに揮発性の高い速乾性インクが含浸されている場合にはそのインクはより速く揮発してしまうので、インク補充をより頻繁に行わなければならなかった。
【０００４】
又、この種の印判スタンドに収納して使用する印判としては、主に領収印や受付印として用いられる、印字体がマスター印と印字ベルトにより構成される回転印判が多く、その種の印判の印字体は非多孔質もしくは多孔質のゴム製のものがほとんどである。このようなゴム製の印字体を有する印判を前記した印判スタンドに収納して使用していると、印判を使用しない間、即ち、捺印しない時も印面は常にインクパッドと接触しているため、印面がインクパッドに含浸されたインクにより膨潤してしまうことがあり、特に、前記したような回転印判の印面の個々の文字は細かいものであるため、印面が膨潤してしまうと捺印した際に文字が潰れてしまって鮮明な印影が得られなくなることがあった。
【０００５】
更に、インクパッドにインクを補充した際、補充したインクがインクパッド全体に均一に浸透するまでには時間がかかるため、インクパッドにインク補充をした直後に印判を印判スタンドに収納すると印面にインクが付着し過ぎてベタツキが生じてしまい、そのまま捺印しても鮮明な印影は得られない。従って、インクパッドにインク補充をした後、インクがインクパッド全体に均一に浸透するまでの間は印判スタンドに印判を収納しないようにすることが望ましいが、印判スタンドに収納して使用する印判は通常印面キャップを備えてないため、印判スタンドに印判を収納しない場合には印面が露呈した印判を机の中に収納したり机上に放置しておくしかなく、これにより印面に付着したインクにより手や衣服やその他周辺にある物などを汚してしまう恐れもあった。
【０００６】
そこで、本発明は前記した問題点を解消して、インクパッドに含浸されたインクの揮発を防止してインクパッドへのインク補充回数を減らすことができ、又、インクパッドにインクを補充した際にインクがインクパッド全体に均一に浸透するまでの間や、印判スタンドに収納されている印判を長時間使用しない時は、印判スタンドに収納していた印判を印面にインクパッドが接触しない状態で収納しておくことができる印判スタンドを提供することを目的とする。
【０００７】
【課題を解決するための手段】
本発明は前記した課題を解決するために、上端が開口し底面にインクパッドを有する印判収納部を備えたスタンド主体の下部に底部材を分離可能に組み付けてあり、前記スタンド主体と分離した前記底部材は前記スタンド主体の上部に着脱自在に装着可能で、前記底部材をスタンド主体上部に装着した際には前記印判収納部が気密状態となり、前記印判収納部に収納していた印判は前記底部材に収納可能となることを特徴とする印判スタンドである。
【０００８】
そして、前記底部材は、前記スタンド主体の上部に装着した際にスタンド主体の上部外周を覆い隠す外周壁と、前記外周壁の上端より内側に延びる連結部を介して吊り下げ状に設けられ、前記スタンド主体の上部に装着した際に前記印判収納部に収まる有底筒状の凹部とを備えており、前記スタンド主体の下面には前記底部材を組み付けた際に前記外周壁が収まる窪み部が設けてあるのが好ましい。
【０００９】
【発明の実施の形態】
以下、本発明の実施の形態を図面に基づいて説明する。図１〜図３は本発明の印判スタンドの一実施の形態を示すもので、１は丸型のスタンド主体であり、下皿２の上部に上枠体４を組み付けて２部品を一体化したものである。下皿２は円形の皿状をしたプラスチック製のもので、上面中央部分には円形のインクパッド３を固着してある。このインクパッド３は、印判の印面に付着させるためのインクが含浸されるもので、フェルトやウレタンやポリエチレンやゴムなどの連続気孔を有する多孔質体からなるものである。
【００１０】
上枠体４は円筒状の外周壁５と、外周壁５より小径で上下端面が開口した円筒状の内周壁６と、外周壁５と内周壁６を上端で連結する天壁７とからなるプラスチック製のもので、外周壁５の下部と下皿２の上部外周を嵌合することにより、下皿２と一体に組み付けられるものである。ここで、上枠体４と下皿２と嵌合形態は圧入嵌合や凹凸嵌合やネジ嵌合など公知の形態であれば良く、その形態は特に問わないものである。又、上枠体４と下皿２は分離可能に組み付けられる構成とすることが望ましく、このような構成とすれば、インクパッド３にインク補充をする際に、補充するインクが上枠体４に付着して上枠体４を汚してしまうことがなくなる。そして、上枠体４と下皿２を分離可能とする構成としては、例えば、上枠体４に対して下皿２を一方向に回転させることにより両者の嵌合が解かれる構成や、上枠体４と下皿２を互いに反対方向に引っ張っることにより両者の嵌合が解かれる構成がある。
【００１１】
そして、前記したように下皿２と上枠体４を組み付けた時、前記内周壁６の下端開口部には前記インクパッド３の上面が露呈し、これにより、上端が開口して底面にインクパッド３を備えた有底筒状の印判収納部８が内周壁６の内側に形成される。この印判収納部８に印判１９を印面２０を下向きにして挿入して印判１９を印判収納部８に立たせた状態で収納しておくことにより、印面２０にはインクパッド３が接触してインクが常に付着した状態となり、印判１９を常時捺印可能な状態で収納しておくことができる。尚、本実施の形態では、スタンド主体１に収納して使用する印判１９は、印字体がゴム製のマスター印と印字ベルトにより構成され、印字ベルトを回転操作するダイヤルを外ケースにより覆い隠すことができる形態の回転印判としている。
【００１２】
又、下皿２の下面には、下端が開口した環状の窪み部９と該窪み部９に囲まれる下方に突出した凸状部１０が形成されており、図１に示すように下皿２の下面には、印判スタンドの底部となるプラスチック製の底部材１１が分離可能に組み付けてある。
【００１３】
この底部材１１は、環状の基部１２と、基部１２の上部に立設される円筒状の外周壁１３と、この外周壁１３の上端から内側に延びる連結部１４を介して外周壁１３の内側に吊り下げ状に設けられる上端が開口した有底筒状の凹部１５とからなるもので、上面から見た底部材１１の形状は下皿２の窪み部９と凸状部１０に対応する形状となっている。つまり、図１に示すように底部材１１を下皿２に組み付けた時、凹部１５には凸状部１０が収まり、外周壁１３は窪み部９に完全に収まった状態となり、基部１２はその上面が下皿２の下面に当接して下皿２の下部に露呈した状態となる。このように、底部材１１を下皿２に組み付けた状態では外周壁１３は窪み部９に完全に収まるので、底部材１１を下皿２に組み付けても印判スタンド全体の高さが必要以上に高くなってしまうことはなく、印判スタンド全体の外観の見栄えを損なうこともない。
【００１４】
又、下皿２の窪み部９の内周壁下部には内側に突出した突起１６を９０°間隔で４つ設け、底部材１１の外周壁１３の外周面下部には前記突起１６と乗り越え嵌合可能な環状凸部１７を設けてあり、図１に示すように底部材１１を下皿２に組み付けた時、環状凸部１７が突起１６を乗り越えて嵌合するようにしてある。これにより、底部材１１は下皿２から脱落しない状態となってスタンド主体１と一体化される。尚、本実施の形態では、環状凸部１７が突起１６を乗り越え嵌合するものとしているが、その嵌合形態は圧入嵌合や凹凸嵌合やネジ嵌合など公知の形態であれば良く、その形態は特に問わないものである。
【００１５】
そして、底部材１１は下皿２と分離するとスタンド主体１の上部に装着可能となるもので、底面から見た底部材１１の形状は上枠体４の上部に対応する形状となっている。つまり、図２に示すように底部材１１をスタンド主体１の上部に装着すると、底部材１１の外周壁１３は上枠体４の外周壁５を覆い隠し、凹部１５は印判収納部８内に収まる。尚、凹部１５は印判収納部８に収納される印判１９が収納可能な大きさで、凹部１５の深さは印判収納部８の深さよりも浅いものである。
【００１６】
次に、本実施の形態における印判スタンドの使用方法について説明する。まず、印判１９を継続的に使用する時においては、図1に示すようにスタンド主体１の下部に底部材１１を組み付けた通常の状態として、印判１９を印判収納部８に収納して使用するものである。
【００１７】
一方、印判１９を長時間使用しない時やインクパッド３にインクを補充した直後には底部材１１とスタンド主体１を分離して、底部材１１をスタンド主体１の上部に装着する。この底部材１１の分離方法は底部材１１の環状凸部１７と窪み部９の突起１６の嵌合を解けば良く、一方の手でスタンド主体１を持ち他方の手で下皿２の下部に露呈した基部１２の外周を摘んで両者を離すように引っ張ることにより、環状凸部１７と突起１６の嵌合は簡単に解かれる。
【００１８】
次に、スタンド主体１と分離した底部材１１を図２に示すようにスタンド主体１の上部に装着する。この装着は、底部材１１の連結部１４を上向きにして外周壁１３を指で保持し、スタンド主体１の上方より底部材１１の凹部１５を印判収納部８の中に挿入するように装着すれば良く、底部材１１の連結部１４の内面が上枠体４の天壁７の上面に当接した時、底部材１１の装着が完了する。この時、底部材１１の外周壁１３は上枠体４の外周壁５の外周面上部を覆い隠した状態となる。又、底部材１１をスタンド主体１の上部に装着した状態においては、底部材１１に代わって下皿２が印判スタンドの底部となる。尚、底部材１１の凹部１５の深さは印判収納部８の深さよりも浅いので、底部材１１をスタンド主体１の上部に装着した時、凹部１５の底面１５ａはインクパッド３に接触しない。
【００１９】
次に、底部材１１をスタンド主体１の上部に装着した後、先にスタンド主体１の印判収納部８に収納していた印判１９を図３に示すように底部材１１の凹部１５に印面２０を下向きにして収納する。このように、凹部１５には印判１９を前記印判収納部８に収納していた状態と同じ態様で収納しておくことができ、印面キャップを備えてない印判１９を机の中に収納したり机上に置いておく必要がなく、印判１９の印面２０に付着したインクにより手や衣服やその他周辺の物が汚れたりすることがない。
【００２０】
尚、本実施の形態では、凹部１５の内周面下部には内側に突出した環状段部１８が設けてあり、図３に示すように印判１９を凹部１５に収納した時、印判１９の下面周縁が環状段部１８に当接するようにして、印判１９を凹部１５に収納した時に印面２０と凹部１５の底面１５ａとの間に空間が形成されるようにしてあるので、印判１９の印面２０は凹部１５の底面１５ａに接触することはなく、これにより、凹部１５の底面１５ａが印面２０に付着したインクにより汚れることはない。
【００２１】
又、前記した環状段部１８を設けずに、例えば、印面２０を傷めることのない合成樹脂やゴムなどの素材よりなるマット状部材を凹部１５の底面１５ａに敷設して、印判１９を凹部１５に収納した時、印面２０が前記マット状部材に接触するようにしても良く、この場合、印面２０に付着したインクは前記マット状部材に付着するので、前記マット状部材は付着したインクが目立たないような色にすることが望ましい。
【００２２】
以上のように、底部材１１をスタンド主体１の上部に装着すると、底部材１１の連結部１４内面と上枠体４の天壁７上面が完全に当接した状態になると共に底部材１１の外周壁１３が上枠体４の外周壁５を覆い隠した状態となるので、印判収納部８は外気との接触が遮断されて気密状態となり、インクパッド３に含浸されたインクの揮発を防止することができる。特に、スタンド主体１の上部に装着した底部材１１の凹部１５に印判１９を収納した状態では底部材１１に印判１９の重みが加わるので、底部材１１の連結部１４内面と上枠体４の天壁７上面は当接した状態に確実に保持され、これにより印判収納部８は確実に気密状態となる。
【００２３】
そして、インクの揮発防止については、インクパッド３に揮発性の高い速乾性インクを含浸したスタンド主体１の下部に底部材１１を組み付けた状態で印判１９を印判収納部８に収納したもの（図１の状態）と、インクパッド３に揮発性の高い速乾性インクを含浸したスタンド主体１の上部に底部材１１を装着して印判１９を凹部１５に収納したもの（図３の状態）を用意して、室温２０℃、湿度６５％の条件下において１日（２４時間）間隔で両者の印判１９の捺印性のテストを実施した。その結果、印判収納部８に収納していた印判１９は、テスト開始から３０日目には印影にカスレが生じるようになり、６０日目にはインクパッド３に含浸された速乾性インクが完全に揮発してしまい捺印不可能となってしまった。一方、スタンド主体１の上部に底部材１１を装着して該底部材１１の凹部１５に収納していた印判１９は、捺印時のみ底部材１１を取り外して印面２０にインクパッド３の速乾性インクを付着させて捺印したところ、テスト開始から３０日目においても印影にカスレが生じることなく鮮明捺印ができ、６０日目にして印影が若干薄くなる程度であった。
【００２４】
又、底部材１１をスタンド主体１の上部に装着して、底部材１１の凹部１５に印判１９を収納しておくことにより、印面２０がスタンド主体１のインクパッド３に接触しない状態で印判１９を収納することができるので、印面２０がインクパッド３に含浸されたインクにより膨潤することも起きにくくなる。
【００２５】
又、インクパッド３にインク補充をした直後、インクがインクパッド３全体に均一に浸透するまでの間、底部材１１をスタンド主体１の上部に装着して凹部１５に印判１９を収納しておけば、印面２０に付着したインクで手や衣服やその他周辺にある物などを汚すことはなくなり、又、補充したインクがインクパッド３全体に均一に浸透した後、印判１９を使用する時に初めて印面２０にインクが付着することとなるので、印面２０にインクが付着し過ぎてベタツキが生じることもなくなる。
【００２６】
以上が本発明の一実施の形態であるが、前記した一実施の形態では、スタンド主体１と底部材１１は丸型のものであったが、それらの形状は角型であっても良い。又、前記した一実施の形態では、スタンド主体１は下皿２の上部に上枠体４を分離可能に組み付けた２部品を一体化したものとしているが、前記した一実施の形態における下皿２をなくした上枠体４の１部品により構成したものでも良い。つまり、図４に示すように上枠体４の外周壁５の内側に天壁７を介して有底筒状の印判収納部８を吊り下げ状に設け、その印判収納部８の底部にインクパッド３を固着したものをスタンド主体１としても良く、この場合、外周壁５と印判収納部８との間に形成される空間を、底部材１１を上枠体４の下面に組み付けた際に底部材１１の外周壁１３が完全に収まる窪み部９とすれば良い。
【００２７】
更に、前記した実施の形態では、スタンド主体１の上部に底部材１１を装着した際に、底部材１１の連結部１４の内面と上枠体４の天壁７の上面が当接した状態になると共に底部材１１の外周壁１３が上枠体４の外周壁５を覆い隠すことにより印判収納部８を気密状態とするものとしているが、凹部１５の外周面と上枠体４の内周壁６の内周面の当接により印判収納部８を気密状態としても良く、気密位置は特に限定されるものではない。
【００２８】
【発明の効果】
以上の通り、本発明の印判スタンドは、スタンド主体の印判収納部に収納してある印判を長時間使用しない時にはスタンド主体と底部材を分離して該底部材をスタンド主体の上部に装着しておけば、インクパッドに含浸されたインクの揮発を防止することができるので、インクパッドへのインク補充の回数を減らすことができる。特にインクパッドに含浸されたインクが揮発性の高い速乾性のインクであるならば、その効果はより顕著なものとなる。
【００２９】
又、底部材をスタンド主体の上部に装着した際、印判収納部に収納していた印判は底部材に収納することができ、印判を底部材に収納している間は印判の印面をインクパッドに接触させない状態としておくことができるので、印判を使用しない時にはこまめに底部材をスタンド主体の上部に装着して該底部材に印判を収納しておくことにより、インクパッドに含浸されたインクによる印面の膨潤も起きにくくなり、印判の捺印性能の悪化を防ぎ印判の長期使用にも役立つ。
【００３０】
更に、インクパッドにインク補充をした直後、インクがインクパッド全体に均一に浸透するまでの間は底部材をスタンド主体の上部に装着して該底部材に印判を収納しておくことができるので、従来のようにインク補充後に印面が露呈した印判を机の中に収納したり机上に放置しておく必要はなく、これにより印面に付着したインクで手や衣服やその他周辺にある物などを汚すこともなくなる。又、インクがインクパッド全体に均一に浸透するまでの間は印面をインクパッドに接触させない状態としておくことができるので、印面にインクが付着し過ぎてベタツキが生じることもない。
【図面の簡単な説明】
【図１】本発明の一実施の形態の半断面図。
【図２】本発明の一実施の形態において、底部材をスタンド主体上部に装着した状態を示す半断面図。
【図３】本発明の一実施の形態において、底部材に印判を収納した状態を示す断面図。
【図４】本発明の他の実施の形態を示す半断面図。
【図５】従来の印判スタンドを示す断面図。
【符号の説明】
１  スタンド主体
２  下皿
３  インクパッド
４  上枠体
８  印判収納部
１１  底部材
１５  凹部
２０  印判
【図１】
0004459418.tif 000002
【図２】
0004459418.tif 000003
【図３】
0004459418.tif 000004
【図４】
0004459418.tif 000005
【図５】
0004459418.tif 000006